(57)【要約】【課題】  複数の機能を有する補助光照明装置を備えるカメラを提供する。【解決手段】  光源２８から射出される光を透過する表示部３２と、前記表示部に焦点検出用パターンと投影画像とを切替可能に表示する表示制御部６６とを備える。【選択図】  図４
2010134209.tif 000002
【特許請求の範囲】
【請求項１】
光源から射出される光を透過する表示部と、
前記表示部に焦点検出用パターンと投影画像とを切替可能に表示する表示制御部とを備えることを特徴とするカメラ。
【請求項２】
前記表示制御部は、前記表示部に少なくとも１色を用いて色付けされた所定の図形を表示することを特徴とする請求項１記載のカメラ。
【請求項３】
前記表示部に前記投影画像を表示する場合に前記光源の光量が前記投影画像以外を前記表示部に表示する場合の光量よりも多いことを特徴とする請求項１または２に記載のカメラ。
【請求項４】
前記表示部に前記投影画像を表示する場合に焦点調整を行う機能を有する投射レンズを備えることを特徴とする請求項１から３の何れか１項に記載のカメラ。
【請求項５】
光源から射出される光を透過する表示部と、
前記表示部に焦点検出用パターンと少なくとも１色を用いて色付けされた所定の図形とを切替可能に表示する表示制御部と
を備えることを特徴とするカメラ。
【請求項６】
操作部を備え、
前記表示制御部は、前記操作部への操作に応じて前記表示部の表示を切り替えることを特徴とする請求項１から５の何れか１項に記載のカメラ。
【請求項７】
前記光源は、焦点検出用に用いる補助光用の光源であることを特徴とする請求項１から６の何れか１項に記載のカメラ。
【発明の詳細な説明】
【技術分野】
【０００１】
本発明は、カメラに関するものである。
【背景技術】
【０００２】
補助光を射出し焦点検出を行う際に焦点検出用のパターンを投影する補助光照明装置を備えるカメラが知られている（例えば、特許文献１参照）。このカメラにおいては、光源から射出された光によりホログラムで形成された焦点検出用パターンを撮影レンズの焦点距離に応じた大きさで被写体に投影する。
【特許文献１】特開２００６−１２６７２３号公報
【発明の開示】
【発明が解決しようとする課題】
【０００３】
しかし、このカメラにおいて、ホログラムは焦点検出用のパターンを投影することにのみに用いられ、他の機能には用いていなかった。
【０００４】
本発明の目的は、複数の機能を有する補助光照明装置を備えるカメラを提供することである。
【課題を解決するための手段】
【０００５】
本発明のカメラは、光源から射出される光を透過する表示部と、前記表示部に焦点検出用パターンと投影画像とを切替可能に表示する表示制御部とを備えることを特徴とする。
【０００６】
また、本発明のカメラは、光源から射出される光を透過する表示部と、前記表示部に焦点検出用パターンと少なくとも１色を用いて色付けされた所定の図形とを切替可能に表示する表示制御部とを備えることを特徴とする。
【発明の効果】
【０００７】
本発明のカメラによれば、補助光照明装置を多くの用途に用いることができる。
【発明を実施するための最良の形態】
【０００８】
以下、図面を参照して本発明の実施の形態に係るカメラについて説明する。図１は、実施の形態に係るカメラの前面を示す斜視図である。カメラ２は、撮影レンズ４とカメラ本体６とを備えている。ここで、撮影レンズ４は、カメラ本体６に固定されているものでも良いし、交換式の撮影レンズでも良い。カメラ本体６の前面には、カメラ本体６に内蔵された補助光投影ユニット２６（図３参照）の補助光窓８が設けられ、カメラ本体６の上部には、半押し操作により合焦指示を行い、全押し操作によりレリーズ動作を指示するシャッタボタン１０、シャッタボタン１０が全押しされる毎に撮像を行う１コマ撮影モード、シャッタボタン１０が全押しされると後述するタイマ５２を作動させタイマ５２において設定された時間が経過すると撮像を行うセルフタイマ撮影モード等の撮影モードを切り替えるレリーズモードダイヤル１２が設けられている。
【０００９】
図２は、実施の形態に係るカメラの背面を示す図である。カメラ本体４の背面には、ファインダ像を観察するためのファインダ接眼窓１４、撮影画像の表示、再生及び撮影条件等を表示するＬＣＤにより構成されるＬＣＤ表示部１６、画像の再生指示を行う再生ボタン１８、画像の再生の終了指示を行う停止ボタン１９、ＬＣＤ表示部１６を用いた画像の再生を行うＬＣＤ再生モードまたは補助光投影ユニット２６を用いた画像の投影により、画像の再生を行う投影モードを設定する再生モード設定ボタン２０、ＬＣＤ表示部１６に表示された撮影条件等を選択するマルチセレクタ２２、選択した撮影条件等を決定する決定ボタン２４が設けられている。
【００１０】
図３は、実施の形態に係る補助光投影ユニットの構成を示す図である。補助光投影ユニット２６は、光源２８、光源２８から射出された光を略平行とするための集光レンズ３０、補助光投影ユニット２６により投影する投影画像、焦点検出用パターン、図形を表示する透過型液晶素子３２、投影画像、焦点検出用パターン、図形を投影するための投影レンズ３４を備えている。ここで、光源２８にはＬＥＤ、ランプ、レーザ等が用いられる。
【００１１】
図４は、実施の形態に係るカメラのシステム構成を示すブロック図である。カメラ２はＣＰＵ３６を備え、ＣＰＵ３６には、操作部３８、ＬＣＤ表示部１６、撮影部４０を制御する撮影制御部４２、後述する撮像素子６２から出力された撮像信号を、図示しないＡ／Ｄ変換部においてＡ／Ｄ変換して画像データを生成し、この画像データを一時的に記憶する画像信号バッファメモリ４４、撮像素子６２から出力される撮像信号に基づく画像データに、ホワイトバランス調整、輪郭補償、ガンマ補正等の画像処理を行う画像処理部４６、撮像画像や投影画像の画像データ、焦点検出用のパターンのデータ、セルフタイマ撮影モード時に用いる図形のデータ等の種々のデータを記憶する画像記憶部４８、画像信号バッファメモリ４４や画像記憶部４８に記憶された投影画像、パターン、図形や種々のデータを投影する補助光投影ユニット２６を構成する補助光投影部５０、セルフタイマ撮影モードにおいてシャッタボタン１０が全押しされてからレリーズ動作を行うまでの時間を設定し、該時間を計測するタイマ５２、ファインダ光学系を構成する図示しないペンタプリズムの近傍に備えられ、被写体輝度を測定するＳＰＤ（Ｓｉｌｉｃｏｎ  Ｐｈｏｔｏ  Ｄｉｏｄｅ）、ＣＣＤ（Ｃｈａｒｇｅ  Ｃｏｕｐｌｅｄ  Ｄｅｖｉｃｅｓ）等により構成される測光センサ５４が接続されている。
【００１２】
ここで、操作部３８は、シャッタボタン１０、レリーズモードダイヤル１２、再生ボタン１８、停止ボタン１９、再生モード設定ボタン２０、マルチセレクタ２２、決定ボタン２４を備え、撮影部４０は、複数枚のレンズで構成され焦点調節可能な撮影レンズ４、開口量を調節するための絞り５６、ミラーアップ及びミラーダウンの状態に位置させることが可能なミラー５８、撮影レンズ４を介した被写体光を撮像して撮像信号（蓄積電荷としてのアナログ信号）を生成するＣＣＤ或いはＣＭＯＳ等により構成される撮像素子６２、ミラー５８と撮像素子６２との間に配置されたシャッタ６０を備えている。ここで、ミラー５８はミラーアップの状態においては被写体光の光路から退避し被写体光を撮像素子６２へ導き、ミラーダウンの状態において被写体光の光路内に位置し、被写体光をファインダ光学系及び測光センサ５４へ導く。シャッタ６０は、被写体光を撮像素子６２に入射させないときには閉状態となり、被写体光を撮像素子６２に入射させるときには開状態となる。また、補助光投影部５０は、光源２８の点灯及び消灯を行う電源制御部６４、投影する画像を表示する透過型液晶素子３２の表示制御を行う表示制御部６６を備えている。
【００１３】
次に図５に示すフローチャートを参照して本実施の形態に係るカメラの補助光投影処理について説明する。ＣＰＵ３６は操作部３８による入力を検出すると（ステップＳ１）、入力がシャッタボタン１０または再生ボタン１８により行われたか否かを判定する（ステップＳ２）。シャッタボタン１０または再生ボタン１８以外の操作部により入力が行われた場合には当該操作に応じて処理を行い、次に操作部３８による入力があるまで待機する。
【００１４】
操作がシャッタボタン１０で行われた場合には（ステップＳ３）、シャッタボタン１０が半押しされたか、全押しされたかを判定する（ステップＳ４）。シャッタボタン１０が全押しされた場合には、レリーズモードダイヤル１２により設定された撮影モードがセルフタイマ撮影モードであるか否かを確認する（ステップＳ５）。撮影モードがセルフタイマ撮影モードでない場合には、撮像を行う（ステップＳ９）。
【００１５】
セルフタイマ撮影モードに設定されている場合には（ステップＳ５：Ｙｅｓ）、表示制御部６６は画像記憶部４８から少なくとも１色により色付けされた図形を読み出し透過型液晶素子３２に表示する（ステップＳ６）。例えば、透過型液晶素子３２の全面を赤１色で色付けし、色付けされた図形として表示する。なお、他の色で色付けしてもよいし、円や三角形、四角形等の多角形、星型等の図形に所定の色を付け表示してもよい。そして、タイマ５２による計時を開始し（ステップＳ７）、タイマ５２による計時中において電源制御部６４は光源２８の制御を行う（ステップＳ８）。例えば、タイマ５２おいて設定された時間が１０秒である場合に、電源制御部６４はシャッタボタン１０が全押しされてから８秒間光源２８を点滅させ、その後２秒間点灯させる制御を行う。タイマ５２における計時が終了すると、撮像を行う（ステップＳ９）。
【００１６】
ステップＳ４においてシャッタボタン１０が半押しされたと判定した場合には、測光センサ５４により測定された被写体輝度に基づいてコントラストを算出し、被写体が低コントラストであるか否か判定する（ステップＳ１０）。被写体が低コントラストでないと判定した場合には撮影制御部４０は、撮影レンズ４を駆動し合焦を行う（ステップＳ１３）。
【００１７】
一方、被写体のコントラストが低いと判定された場合には（ステップＳ１０：Ｙｅｓ）、表示制御部６６は画像記憶部４８から焦点検出用のパターンを読み出し透過型液晶素子３２に表示する（ステップＳ１１）。ここで、撮影画角内の被写体が存在する可能性が高い位置に焦点検出用のパターンが投射されるように透過型液晶素子３２に焦点検出用のパターンを表示する。また、焦点検出用のパターンとして、例えば、所定本数の縦、横の線からなる格子パターンや縦または横の何れか一方の線のみからなる縞パターン等を用いる。そして、電源制御部６４は光源２８を点灯させ、光源２８から射出された光により透過型液晶素子３２に表示されたパターンを読み出し被写体に対して投影し（ステップＳ１２）、撮影制御部４０は、撮影レンズ４を駆動し合焦を行う（ステップＳ１３）。合焦動作を行った後、電源制御部６４は光源２８を消灯する（ステップＳ１４）。
【００１８】
ステップＳ３において操作が再生ボタン１８により行われたと判定した場合には、再生モード設定ボタン２０により設定されている再生モードが投影モードであるか背面液晶再生モードであるかを判定する（ステップＳ１５）。投影モードに設定されている場合には、表示制御部６６は画像記憶部４８から投影する画像の画像データを読み出し透過型液晶素子３２に表示し（ステップＳ１６）、電源制御部６４は光源２８を点灯し画像の投影を行う（ステップＳ１７）。停止ボタン１９の操作により画像の再生の終了指示が行われると（ステップＳ１８）、表示制御部６６は透過型液晶素子３２における画像の表示を終了すると共に、電源制御部６４は光源２８を消灯し、画像の投影を終了する（ステップＳ１９）。
【００１９】
ステップＳ１５において再生モードが背面液晶再生モードに設定されている場合には、画像記憶部４８から再生する画像の画像データを読み出しＬＣＤ表示部１６に表示する（ステップＳ２０）。停止ボタン１９の操作により画像の再生の終了指示が行われると（ステップＳ２１）、ＬＣＤ表示部１６における画像の表示を終了し、画像の再生を終了する。
【００２０】
なお、投影画像を切り替える図示しない切替ボタンが設けられている場合には、投影モードまたは背面液晶再生モードに関わらず、切替ボタンの操作により再生中の画像を切り替える。また、投影モードでの画像の再生中に再生モード設定ボタン２０が操作された場合には、背面液晶再生モードに切り替え、背面液晶再生モードでの画像の再生中に再生モード設定ボタン２０が操作された場合には、投影モードに切り替える。
【００２１】
また、ステップＳ８、Ｓ１２、Ｓ１７において光源２８から射出される光の光量は略同じにしてもよいし、それぞれ必要に応じて変更してもよい。変更する場合には、電源制御部６４は、例えば、ステップＳ１７における光量が最も大きく、ステップＳ１２、ステップＳ８における光量の順に小さくなるように光源２８へ供給する電流の制御を行う。この場合には、電力消費量を必要な量に抑えることができるため、省エネルギー効果を得ることができる。
【００２２】
本実施の形態に係るカメラによれば、合焦に用いられる補助光照明装置を、多人数での画像の閲覧が可能な投影装置、セルフタイマ撮影モード時におけるカメラの作動状態の報知機能等、多くの用途に用いることができる。
【００２３】
また、公知のカメラが有する補助光照明装置の構成に透過型液晶素子を付加する等の簡単な変更を加えることで投影画像、焦点検出用パターン、図形を投影することができる。
【００２４】
なお、上述の実施の形態においては合焦に用いる補助光の光源の光路に透過型液晶素子３２を配置する構成としたが、露出光量の不足を補うための図示しないフラッシュの光路に透過型液晶素子を配置する構成としてもよい。
【００２５】
また、上述の実施の形態においては、カメラ本体６に備えられた補助光照明装置を例に説明したが、カメラ本体６に対して着脱可能なスピードライトに備えられた補助光発光部であってもよい。
【００２６】
また、上述の実施の形態においては、一眼レフカメラを例に説明したが、コンパクトカメラ、ビデオカメラであってもよい。この場合には、コントラストを算出する際に、測光センサ５４により測定した輝度値に代えて撮像素子６２から出力される撮像信号から求めた輝度値を用いてもよい。また、一眼レフカメラにおいても、ミラーアップしたまま撮影を行う場合には、コントラストを算出する際に撮像素子から出力される撮像信号から求めた輝度値を用いる。
【００２７】
また、上述の実施の形態においては、補助光投影ユニット２６を用いた投影モード、ＬＣＤ表示部１６を用いた背面液晶再生モードの何れか一方のモードで画像の再生を行う構成としたが、補助光投影ユニット２６を用いた投影及びＬＣＤ表示部１６を用いた再生を同時に行う構成としてもよい。
【００２８】
また、上述の実施の形態においては、画像記憶部４８はカメラ本体６に内蔵されたものでもよいし、着脱可能なものでもよい。また、画像記憶部４８に撮像画像、投影画像、合焦に用いるパターンのデータ、セルフタイマ撮影モード時に用いる図形のデータを記憶する構成としたが、例えば、カメラ本体に内蔵された記憶部及び着脱可能なメモリカード等の記憶媒体を備え、カメラ本体６に内蔵された記憶部には合焦に用いるパターンのデータ、セルフタイマ撮影モード時に用いる図形のデータを記憶し、着脱可能な記憶媒体には撮像画像、投影画像を記憶する構成としてもよい。
【００２９】
また、上述の実施の形態においては、セルフタイマ撮影モード時に光源２８から射出される光によりカメラ２の作動状態を報知する構成としたが、カメラ本体６に図示しないスピーカを設けた場合には、上述の光による報知と共に音による報知を行ってもよい。
【００３０】
また、上述の実施の形態において、カメラ２は、投影レンズ３４の焦点を調整する焦点調整機能を備えてもよい。この場合に、焦点検出用パターンまたは図形を投影する場合には、焦点調整機能を無効とし、投影画像を投影する場合には、焦点調整機能を有効とする。従って、投影画像を投影する場合には、より鮮明な画像を投影することができる。
【００３１】
また、上述の実施の形態において補助光窓８をカメラ本体６の前面において撮影レンズ４の左上部に設ける構成としたが、撮影レンズ４の左上部に設けた場合には、撮影レンズ４の長さの影響により投射画像が欠ける虞がある。そこで、撮影レンズ４の長さに関わらず投射画像が欠けないようにするため、カメラ本体６の前面における他の位置に設ける構成としてもよい。
【図面の簡単な説明】
【００３２】
【図１】本発明の実施の形態に係るカメラの前面を示す斜視図である。
【図２】本発明の実施の形態に係るカメラの背面を示す図である。
【図３】本発明の実施の形態に係る補助光ユニットの構成を示す図である。
【図４】本発明の実施の形態に係るカメラのシステム構成を示すブロック図である。
【図５】本発明の実施の形態に係るカメラの補助光投影処理を示すフローチャートである。
【符号の説明】
【００３３】
２…カメラ、８…補助光窓、１０…シャッタボタン、１２…レリーズモードダイヤル、１６…ＬＣＤ表示部、１８…再生ボタン、２０…再生モード設定ボタン、２６…補助光投影ユニット、２８…光源、３２…透過型液晶素子、３６…ＣＰＵ、４０…撮影部、５０…補助光投影部、５２…タイマ、５４…測光センサ、６２…撮像素子、６４…電源制御部、６６…表示制御部。
【図１】
2010134209.tif 000003
【図２】
2010134209.tif 000004
【図３】
2010134209.tif 000005
【図４】
2010134209.tif 000006
【図５】
2010134209.tif 000007